(57)【要約】      （修正有）【課題】口径の変換プラグ、メモリプレイヤーやメモリーカード等周辺小物部品を入れる空間を設えたヘッドホンスタンドを提供する。【解決手段】台１０に支柱９を、支柱９の上部には、前面が開口した箱８を固定する。箱８の位置と大きさは、ヘッドホンをヘッドホンスタンド装置に掛けたときに、ヘッドホンのヘッドバンドの内側に入る位置、大きさとすることで支障なくヘッドホンを掛けることが出来る。箱８の形状は、正面から見た形が、三角形、四角形、多角形、円形、いずれでも良い。箱８の中心部穴１１の形状もいずれの形でも良い。箱８の中心部穴１１は前面は開口し後面は塞ぐものとする。後面を塞ぐ方法として、支柱９を利用しても良い。【選択図】図４
0003181016.tif 000002
【実用新案登録請求の範囲】
【請求項１】
台に固定された支柱の上部に、前面が開口した箱を取り付け、箱の位置と大きさは、オーバーヘッドバンド型ヘッドホンを掛けたときに、ヘッドホンのヘッドバンドの内側に入る位置、大きさとし、箱の形状は、正面から見た形は三角形、四角形、多角形、円形、いずれでも良く、箱の中心部に穴を設け、穴は前面は開口し後面は塞ぐものとし、穴の形状は正面から見た形は三角形、四角形、多角形、円形、いずれの形でも良く、穴の中に、小物品を入れることが出来るようにした、箱を備えたことを特徴とする、オーバーヘッドバンド型のヘッドホンを掛けて置くための、ヘッドホンスタンド装置
【請求項２】
箱の中心部穴を塞ぐ蓋を設け、箱の前面に留めるようになし、箱の中心部穴に埃、塵等が入るのを防ぐようになしたことを特徴とする請求項１のヘッドホンスタンド装置
【請求項３】
上部の前後が鉤型に上がり、中央部が下がったヘッドホンを掛けるための、正面から見た形を限定しない、棒状、又は、板状のものを箱の上部に固定し、ヘッドバンドが掛けられたとき、鉤型の効果でヘッドバンドがはずれるのを防ぐようになしたことを特徴とする請求項１のヘッドホンスタンド装置
【請求項４】
台の中央に板状の支柱を設け、台と箱を固定し、支柱の強度を増すようになし、更にヘッドホンを掛けたときに、設けた板の左右両側面に、ヘッドホンのイヤーパッドが当るため、ヘッドホンがゆれることなく安定してヘッドホンを掛けて置く事が出来るようになしたことを特徴とする請求項１のヘッドホンスタンド装置
【請求項５】
蓋と一体に固定された、ひきだしを設け、中に小物品が入れられる箱形状とし、ヘッドホンスタンドの箱の中心部穴の中におさまる形状とし、蓋を開けることにより、ひきだし内の小物品が出てくるようになしたことを特徴とする請求項１のヘッドホンスタンド装置。
【請求項６】
蓋と一体に固定されたユニットを設け、箱の中心部穴の中におさまる形状とし、用意された時計ユニット、照明ユニット、テレビ、ラジオチューナーユニット、アンプユニット、プレイヤーユニット等の多種類のユニットは夫々の機能に応じて内部に、電源、電子部品、機構部品が組み込まれるものとし、蓋は各ユニットごとに専用に取り付けられ必要な操作部品、表示部品、ジャック等が取り付けられるものとし、このような機能別のユニットを選択し箱にはめこむことが出来るようにしたことを特徴とする請求項１のヘッドホンスタンド装置
【考案の詳細な説明】
【技術分野】
【０００１】    本考案は、オーバーヘッドバンド型のヘッドホンを掛けて置くための、ヘッドホンスタンド装置に関する。
【背景技術】
【０００２】    従来のオーバーヘッドバンド型のヘッドホンスタンド装置は、ヘッドホンを掛けるだけの機能で、変換プラグや、メモリープレイヤーやメモリーカード等の小物品を入れることができる箱を備えたものは無い。
【先行技術文献】
【特許文献】
【考案の概要】
【考案が解決しようとする課題】
【０００３】ヘッドホンを使用するときに、先端のプラグの径が接続するアンプやプレイヤーにより大小異なり変換プラグを使用しなければならない。この変換プラグは使用しないときは置き場所に困る。又メモリープレイヤーにヘッドホンを差して使用するときにメモリープレイヤーや交換用のメモリーカード等も置き場所に困る。これらの小物品をいれる場所を確保したいという課題がある。
【課題を解決するための手段】
【０００４】    この課題を達成する為、本考案装置は、オーバーヘッドバンド型ヘッドホンをヘッドホンスタンドに掛けた時出来る中央部の空間に、台に固定された支柱の上部に、前面が開口した箱を取り付ける手段により、前面から小物品を入れることが出来るようにし、尚且つ支障なくヘッドホンが掛けられるようにしたヘッドホンスタンド装置。
【考案の効果】
【０００５】    上記手段及び構成による本考案によれば、前面が開口した箱の中に、前面から小物品を入れて保管することが出来、尚且つヘッドホンを掛けることに支障が起こらない。
【図面の簡単な説明】
【０００６】
【図１】従来の一実施例を示すヘッドホンスタンド装置の正面図
【図２】従来の一実施例を示すヘッドホンスタンド装置の側面図
【図３】従来の一実施例を示すヘッドホンスタンド装置のヘッドホンを掛けた時の正面図
【図４】本考案の一実施例を示すヘッドホンスタンド装置の正面図
【図５】本考案の一実施例を示すヘッドホンスタンド装置の側面図
【図６】本考案の一実施例を示すヘッドホンスタンド装置のヘッドホンを掛けた時の正面図
【図７】本考案の一実施例を示すヘッドホンスタンド装置の蓋の取り付けを示す側面図
【図８】本考案の一実施例を示すヘッドホンスタンド装置の蓋の詳細を示す図
【図９】本考案の一実施例を示すヘッドホンスタンド装置のヘッドホン掛けを示す図
【図１０】本考案の一実施例を示すヘッドホンスタンド装置のヘッドホンを掛けた時、中央支柱追加時の正面図
【図１１】本考案の一実施例を示すヘッドホンスタンド装置の中央支柱追加時の側面図
【図１２】本考案の一実施例を示すヘッドホンスタンド装置のひきだしの取り付けを示す図
【図１３】本考案の一実施例を示すヘッドホンスタンド装置のユニットの取り付けを示す図
【考案を実施するための形態】
【実施例】
【０００７】    以下、本考案を具体化した実施例を図１から図１３を参照にして説明する。図１、図２、図３は、従来のヘッドホンスタンド装置の一実施例である。台▲１▼３に支柱▲１▼２が固定され支柱▲１▼２の上部にヘッドホン掛け▲１▼１が取り付けられている。ヘッドホン掛け▲１▼１の前後は、先端が鉤状になっており、ヘッドホンがすべり落ちるのを防いでいる。図３はヘッドホンスタンド装置にヘッドホンを掛けたときの正面図である。空間が有ることを示す円５は、オーバーヘッドバンド型ヘッドホン４のヘッドバンド６の内側に空間があることを示す。本考案はこのヘッドホンをヘッドホンスタンドに掛けた時出来る中央部の空間を利用し前面が開口した箱を取り付ける。図４から図１３までは、本考案のヘッドホンスタンド装置の一実施例である。台▲２▼１０に支柱▲２▼９を固定する。支柱▲２▼９の上部には、前面が開口した箱８を固定する。箱８の位置と大きさは、ヘッドホンをヘッドホンスタンド装置に掛けたときに、ヘッドホンのヘッドバンド６の内側に入る位置、大きさとすることで支障なくヘッドホンを掛けることが出来る。箱８の形状は、正面から見た形が、実施例では八角形であるが、三角形、四角形、多角形、円形、いずれでも良い。箱８の中心部穴１１の形状もいずれの形でも良い。箱８の中心部穴１１は前面は開口し後面は塞ぐものとする。後面を塞ぐ方法として、支柱▲２▼９を利用しても良い。箱８の中心部の穴１１には、小物品を入れることが可能となる。ヘッドホンを使用するときに、先端のプラグの径が接続するアンプやプレイヤーにより大小異なり変換プラグを使用しなければならない。この変換プラグは使用しないときは置き場所に困る、又メモリープレイヤーや交換用のメモリーカードも置き場所に困る。これらの変換プラグやメモリープレイヤーやメモリーカード等の小物品を、箱８の中心部の穴に入れることが出来ると不便さが改善される。台▲２▼１０、支柱▲２▼９、箱８の材質は、木材、金属、プラスチック等限定するものではない。台▲２▼１０は、支柱▲２▼９や箱８が取り付けられても容易に倒れない重量、低面積を要するものとする。台▲２▼１０と支柱▲２▼９、及び支柱▲２▼９と箱８の夫々の固定方法は、ねじ、接着、溶着等限定するものではない。また一体製作の方法でも良い。図６はヘッドホンスタンド装置にヘッドホンを掛けた時の正面図である。箱８はオーバーヘッドバンド型ヘッドホン４のヘッドバンド６の内側に入る位置、大きさとなっている。図７は蓋１２の取り付けを示す側面図である。図８は蓋１２の詳細を示す図である。蓋１２は板状で箱８の中心部穴１１を塞ぐために設けられ、箱の前面に留められ、箱８の中心部穴１１に埃、塵等が入るのを防ぐ効果がある。ピン１３は、蓋１２に固定され、箱８のピン受け穴１４に入り、蓋１２を箱８に留める。蓋１２を箱８に留める方法はピンと穴の方法以外にも、蝶番、マグネット、面ファスナー、勘合等で留める方法があり限定しない。図９で示すヘッドホン掛け▲２▼７は、半円柱の形状をし、上部の前後が鉤型に上がり中央部が下がっている。中央部の下がった部分にヘッドホンのヘッドバンド６が掛けられ鉤型の効果でヘッドバンド６がはずれるのを防ぐ効��がある。ヘッドホン掛け▲２▼７は箱８の上部に固定される。固定方法は、ねじ、接着、溶着等限定するものではない。ヘッドホン掛け▲２▼７の、正面から見た形状は、半円形以外の形でも良く、丸形、三角形、四角、多角形等限定されるものではなく、厚みは棒状、板状いずれでも良い。材質は、木材、金属、プラスチック等限定するものではない。図１０、図１１で示す中央支柱１５は、箱８、支柱▲２▼９、台▲２▼１０に固定され、支柱▲２▼９の強度を増す効果がある。固定方法は、ねじ、接着、溶着等限定するものではない。材質は、木材、金属、プラスチック等限定するものではない。中央支柱１５の左右両側面には、オーバーヘッドバント型ヘッドホン４を掛けたときに、イヤーパッド１６が当るため、ヘッドホンがゆれることなく安定してヘッドホンを掛けて置く事が出来る効果がある。図１２で示す、ひきだし１７は、蓋１２と一体に固定され、上から小物品を入れることが出来る箱形状とし、箱８の中心部穴１１の中におさまる形状とする。固定方法は、ねじ、接着、溶着等限定するものではない。又一体製作でも良い。材質は、木材、金属、プラスチック等限定するものではない。ひきだし１７は、小物品をこの中に入れた後、蓋１２の開閉で、小物品の出し入れが出来るので、使い勝っての良い便利な効果がある。図１３で示すユニット１８は、蓋１２と一体に固定され、箱８の中心部穴１１の中におさまる形状とする。固定方法は、ねじ、接着、溶着等限定するものではない。又一体製作でも良い。材質は、木材、金属、プラスチック等限定するものではない。ユニット１８は、多種類のものが用意することが出来る。時計ユニット、照明ユニット、テレビ、ラジオチューナーユニット、アンプユニット、プレイヤーユニット等夫々の機能に応じて内部に、電源、電子部品、機構部品が組み込まれるものとする。蓋１２は各ユニット専用に取り付けられ必要な、操作部品、表示部品、ジャック等が取り付けられるものとする。このように機能別のユニットを選択し、箱８にはめ込むようにしたり、簡単に交換することが出来て使い勝手の良い便利な効果がある。
【符号の説明】
【０００８】    １  ヘッドホン掛け▲１▼
２  支柱▲１▼
３  台▲１▼
４  オーバーヘッドバンド型ヘッドホン
５  空間が有ることを示す円
６  ヘッドバンド
７  ヘッドホン掛け▲２▼
８  箱
９  支柱▲２▼
１０  台▲２▼
１１  中心部穴
１２  蓋
１３  ピン
１４  ピン受け穴
１５  中央支柱
１６  イヤーパッド
１７  ひきだし
１８  ユニット
【図１】
0003181016.tif 000003
【図２】
0003181016.tif 000004
【図３】
0003181016.tif 000005
【図４】
0003181016.tif 000006
【図５】
0003181016.tif 000007
【図６】
0003181016.tif 000008
【図７】
0003181016.tif 000009
【図８】
0003181016.tif 000010
【図９】
0003181016.tif 000011
【図１０】
0003181016.tif 000012
【図１１】
0003181016.tif 000013
【図１２】
0003181016.tif 000014
【図１３】
0003181016.tif 000015